(57)【要約】      （修正有）【課題】患部を目的とする大きさで鮮明に観察できると共に、コンパクトで使い勝手が良い医療用拡大鏡装置を提供する。【解決手段】医療用拡大鏡装置１０は、使用者の顔面に当接するフェイスパッド１２を有し、使用者の左右の眼前を覆う装置本体１１と、装置本体１１を使用者の頭部に固定するためのベルト６０と、装置本体１１の前方に設けられたズームレンズ２２を有し、ズームレンズ２２を介して取得した拡大像をデジタル変換する撮像ユニット２０と、装置本体１１の内側において使用者の左右の眼前にそれぞれ設けられ、撮像ユニット２０によりデジタル変換された拡大像を表示する一対のモニター３０とを備える。【選択図】図１
2018191845.tif 000002
【特許請求の範囲】
【請求項１】
頭部装着型の医療用拡大鏡装置であって、
使用者の顔面に当接するフェイスパッドを有し、前記使用者の左右の眼前を覆う装置本体と、
前記装置本体を前記使用者の頭部に固定するための固定手段と、
前記装置本体の前方に設けられたズームレンズを有し、前記ズームレンズを介して取得した拡大像をデジタル変換する撮像ユニットと、
前記装置本体の内側において前記使用者の左右の眼前にそれぞれ設けられ、前記撮像ユニットによりデジタル変換された前記拡大像を表示する一対のモニターと、
を備える、医療用拡大鏡装置。
【請求項２】
前記装置本体の前方において、前記ズームレンズの上方に設けられたライトをさらに備える、請求項１に記載の医療用拡大鏡装置。
【請求項３】
産婦人科がん検診に使用される、請求項１または２に記載の医療用拡大鏡装置。
【請求項４】
前記装置本体は、前記撮像ユニットを挟んで左右両側に設けられ、前記使用者の左右を視認可能とする窓部を有する、請求項１〜３のいずれか１項に記載の医療用拡大鏡装置。
【請求項５】
前記撮像ユニットと無線接続され、前記ズームレンズの倍率を操作するためのリモートコントローラをさらに備える、請求項１〜４のいずれか１項に記載の医療用拡大鏡装置。
【請求項６】
前記ズームレンズは、前記装置本体の前方において、前記使用者の左右の眼の間に対応する位置に設けられている、請求項１〜５のいずれか１項に記載の医療用拡大鏡装置。
【発明の詳細な説明】
【技術分野】
【０００１】
本発明は、医療用拡大鏡装置に関し、特に産婦人科の検診に好適な医療用拡大鏡装置に関する。
【背景技術】
【０００２】
医師、歯科医師による検診、治療、手術等において、顕微鏡やルーペをはじめとする医療用拡大鏡装置が広く使用されている。一般的に、診療科、用途等に応じて、拡大鏡装置に要求される性能が異なることから、各診療科、各用途等に特化した専用の装置も数多く開発されている。例えば、産婦人科では、コルポスコープ（子宮膣部拡大鏡）と呼ばれる専用の拡大鏡装置が使用されている。コルポスコープは、主に子宮がん検診の精密検査に使用される。
【０００３】
特許文献１では、鏡体の移動を円滑かつ迅速に行うことが可能なコルポスコープが提案されている。特許文献１に開示されたコルポスコープは、鏡体と、装置全体の位置を決定するベース部と、鏡体を鉛直方向に移動させる鉛直動アームと、鏡体を水平方向に移動させる水平動アームとを備え、水平動アームが平行四辺形リンク手段で構成された構造を有している。
【先行技術文献】
【特許文献】
【０００４】
【特許文献１】特開平８−１４０９３２号公報
【発明の概要】
【発明が解決しようとする課題】
【０００５】
ところで、医療用拡大鏡装置は、患部を目的とする大きさで鮮明に観察できることは勿論、コンパクトで使い勝手が良いことが重要である。しかし、産婦人科用のコルポスコープ、手術用の顕微鏡などは、大型であって使い勝手が良いとは言えず、さらなる改良が求められている。
【０００６】
例えば、特許文献１に開示されたコルポスコープは、従来のコルポスコープと比べると、鏡体の移動を円滑かつ迅速に行うことができるものと想定されるが、未だ大いに改良の余地がある。特許文献１の技術を含む従来のコルポスコープは、ベース部のキャスタを利用して移動させることができるが、このような移動作業を医師らに強いることは好ましくない。また、従来のコルポスコープでは、患部にピントを合わせる際にも、ベース部の移動を余儀なくされる場合がある。さらに、医師と患者の間には鏡体を支持するアームが存在するため、検診、治療を行う際にこのアームが邪魔になる。加えて、大型のコルポスコープは置き場所に困る場合もある。
【課題を解決するための手段】
【０００７】
本発明の一態様である医療用拡大鏡装置は、頭部装着型の医療用拡大鏡装置であって、使用者の顔面に当接するフェイスパッドを有し、前記使用者の左右の眼前を覆う装置本体と、前記装置本体を前記使用者の頭部に固定するための固定手段と、前記装置本体の前方に取り付けられたズームレンズを有し、前記ズームレンズを介して取得した拡大像をデジタル変換する撮像ユニットと、前記装置本体の内側において前記使用者の左右の眼前にそれぞれ設けられ、前記撮像ユニットによりデジタル変換された前記拡大像を表示する一対のモニターとを備えることを特徴とする。
【発明の効果】
【０００８】
本発明の一態様によれば、患部を目的とする大きさで鮮明に観察できると共に、コンパクトで使い勝手が良い医療用拡大鏡装置を提供することができる。
【図面の簡単な説明】
【０００９】
【図１】実施形態の一例である医療用拡大鏡装置の斜視図である。
【図２】実施形態の一例である医療用拡大鏡装置を装置本体の内側から見た斜視図である。
【図３】実施形態の一例である装置本体の断面図である。
【図４】実施形態の一例である医療用拡大鏡装置の装着状態を示す図である。
【図５】実施形態の一例である医療用拡大鏡装置を使用して検診を行う様子を示す図である。
【図６】実施形態の一例である医療用拡大鏡装置を使用して手術を行う様子を示す図である。
【図７】実施形態の他の一例である医療用拡大鏡装置の斜視図である。
【発明を実施するための形態】
【００１０】
以下、図面を参照しながら、本発明に係る医療用拡大鏡装置の実施形態の一例について、詳細に説明する。実施形態において参照する図面は模式的に記載されたものであり、各構成要素の具体的な寸法などは以下の説明を参酌して判断されるべきである。なお、以下で説明する複数の実施形態の構成を適宜に組み合わせることは当初から想定されている。
【００１１】
以下では、実施形態として医療用拡大鏡装置１０，１０Ｘを例示するが、本発明に係る医療用拡大鏡装置はこれらに限定されない。また、医療用拡大鏡装置１０，１０Ｘの使用例として、産婦人科検診および手術を挙げるが、医療用拡大鏡装置１０，１０Ｘの用途はこれらに限定されない。医療用拡大鏡装置１０，１０Ｘは、例えば皮膚科、心臓外科、整形外科、口腔外科・歯科、耳鼻咽喉科など、種々の診療科における検診、治療などに使用することも可能である。
【００１２】
図１は、実施形態の一例である医療用拡大鏡装置１０の斜視図である。図２は医療用拡大鏡装置１０の装置本体１１を内側から見た図、図３は装置本体１１の断面図である。図４は、医療用拡大鏡装置１０の装着状態を示す図である。なお、本明細書では、説明の便宜上、医療用拡大鏡装置１０の装着状態において、顔の幅方向に沿った方向を装置本体１１の「横方向または左右方向」、顔の長さ方向に沿った方向を装置本体１１の「上下方向」とする。
【００１３】
図１〜図４に例示するように、医療用拡大鏡装置１０は、使用者１００の顔面１０２に当接するフェイスパッド１２を有し、使用者１００の左右の眼前を覆う装置本体１１と、装置本体１１を使用者１００の頭部１０１に固定するための固定手段とを備える頭部装着型の拡大鏡装置である。本実施形態では、固定手段として、装置本体１１の左右両端部に取り付けられたベルト６０を備える。ベルト６０は、装置本体１１の左右両端部から頭部１０１の後方に延びて後頭部に当接し、医療用拡大鏡装置１０の頭部装着を可能とする。なお、ベルト６０は長さ調整機能を有していてもよい。
【００１４】
医療用拡大鏡装置１０は、固定手段として、頭頂部に当接する補助ベルト６１を備えていてもよい。補助ベルト６１は、装置本体１１の上端部から頭頂部の上方を通って後頭部側に延び、後頭部側でベルト６０に連結されている。特に、装置本体１１の重量が大きな場合は、補助ベルト６１を設けることで医療用拡大鏡装置１０の頭部装着性が向上する。
【００１５】
医療用拡大鏡装置１０は、装置本体１１の前方に設けられたズームレンズ２２を有し、このズームレンズ２２を介して取得した拡大像をデジタル変換する撮像ユニット２０と、撮像ユニット２０によりデジタル変換された拡大像を表示する一対のモニター３０とを備える。モニター３０は、装置本体１１の内側において使用者１００の左右の眼前にそれぞれ設けられる。医療用拡大鏡装置１０は、モニター３０として、右眼用のモニター３０Ｒと、左眼用のモニター３０Ｌとを有する。
【００１６】
医療用拡大鏡装置１０は、眼鏡のように鼻と耳で支持されるような装置ではなく、装置本体１１がフェイスパッド１２および上記固定手段によって眼前に保持されるゴーグル型の拡大鏡装置である。装置本体１１が顔面１０２にしっかりフィットして眼前に安定に保持されることで、検診、治療等の医療行為をスムーズに行うことができ、長時間使用しても疲れ難くなる。また、眼の周囲が装置本体１１で覆われることにより、モニター３０の視認性が向上する。なお、医療用拡大鏡装置１０は、産婦人科で使用されているコルポスコープと比較して様々な利点を有する。この点については後述する。
【００１７】
装置本体１１は、撮像ユニット２０およびモニター３０が搭載され、ベルト６０および補助ベルト６１が取り付けられる部分である。装置本体１１は、使用者１００の両眼の周囲を覆うことが可能な大きさを有し、例えば額の下部から頬の上部までを覆う程度の上下方向長さ、および顔幅と同程度の横方向長さを有する。また、装置本体１１は、撮像ユニット２０およびモニター３０の搭載スペースを確保するため、前後方向にもある程度の厚みを有する。装置本体１１は、例えば使用者１００の顔面１０２から前方に５０ｍｍ〜１５０ｍｍ程度とび出した状態となる。
【００１８】
装置本体１１は、ズームレンズ２２が取り付けられる前面部１１ａを有する。また、装置本体１１は、前面部１１ａの左右両端から後方に延び、使用者１００のこめかみ付近まで覆うように形成された側面部１１ｂを有することが好ましい。装置本体１１が顔の横まで覆って装着されることで良好なフィット感が得られる。前面部１１ａは、上下方向および横方向に対して略平坦に形成されてもよく、前方に向かって緩やかに湾曲していてもよい。装置本体１１は、前面部１１ａと各側面部１１ｂとの境界部で外側に向かって湾曲し、当該境界部が丸みを帯びているが、エッジのある角ばった形状を有していてもよい。
【００１９】
また、装置本体１１は、前面部１１ａの上下両端から後方に延び、眼の上下をそれぞれ覆うように形成された上面部１１ｃおよび下面部１１ｄを有することが好ましい。特に、上面部１１ｃを設けることで、モニター３０の視認性が向上し、良好なフィット感が得られる。装置本体１１は、後述する窓部１７を除き、不透明な材料で構成されることが好ましく、軽量性、加工性等を考慮すると樹脂製とすることが好適である。
【００２０】
装置本体１１は、上述の通り、使用者１００の顔面１０２に当接するフェイスパッド１２を有する。フェイスパッド１２は、顔面１０２に当接したときに弾性変形する発泡体、エラストマ―、またはゴム等で構成される。本実施形態では、使用者１００側を向いた装置本体１１の内側部分に、鼻との干渉を避けるための凹部１６が形成されている。フェイスパッド１２は、凹部１６が形成された部分を除く、装置本体１１の内側端部に設けられている。フェイスパッド１２は、例えば装置本体１１の各側面部１１ｂ、上面部１１ｃ、および下面部１１ｄの縁に沿って設けられる。
【００２１】
装置本体１１の前面部１１ａには、前方に向かって突出した状態でズームレンズ２２が設けられている。図３に例示するように、装置本体１１の前面部１１ａと内側端部との間に形成されるスペースＳには、撮像ユニット２０の本体部２１およびモニター３０が配置されている。本実施形態では、本体部２１の使用者１００側（後方）を向いた面にモニター３０が設置されている。即ち、撮像ユニット２０とモニター３０が一体化されている。
【００２２】
装置本体１１のスペースＳには、一対の接眼レンズ１３が配置されていてもよい。一対の接眼レンズ１３は、右眼用の接眼レンズ１３Ｒと、左眼用の接眼レンズ１３Ｌとで構成される。図１に示す例では、装置本体１１の上面部１１ｃに接眼レンズ１３Ｒ，１３Ｌ同士の間隔を調整するための接眼レンズ間距離調整部１８が設けられている。また、装置本体１１の上面部１１ｃには、接眼レンズ１３Ｒ，１３Ｌのピントを合わせるための接眼レンズ用ピント調整部１９Ｒ，１９Ｌが設けられている。上面部１１ｃにおいて、接眼レンズ間距離調整部１８は使用者１００の左右の眼の間に対応する位置に配置され、接眼レンズ用ピント調整部１９Ｒ，１９Ｌは接眼レンズ間距離調整部１８を挟むように上面部１１ｃの左右にそれぞれ配置されている。
【００２３】
接眼レンズ間距離調整部１８および接眼レンズ用ピント調整部１９Ｒ，１９Ｌは、装置本体１１に設置されたダイヤルによって構成されている。当該ダイヤルは、一部が上面部１１ｃから上方に突出した状態で設置されている。使用者１００は、接眼レンズ間距離調整部１８を回すことで、各自の眼の間隔に合わせて接眼レンズ１３Ｒ，１３Ｌ同士の間隔を狭くする、或いは広くすることができる。また、使用者１００は、接眼レンズ用ピント調整部１９Ｒ，１９Ｌを回すことで、接眼レンズ１３Ｒ，１３Ｌをそれぞれ前後方向に動かし、各レンズのピントを別々に調整できる。なお、接眼レンズ間距離調整部１８および接眼レンズ用ピント調整部１９Ｒ，１９Ｌは、後述するリモートコントローラ４０の操作スイッチとして設けられていてもよい。
【００２４】
装置本体１１のスペースＳには、一対の接眼レンズ１３の前方に一対のモニター３０が配置されている。医療用拡大鏡装置１０の装着状態において、使用者１００の右眼の前方に接眼レンズ１３Ｒとモニター３０Ｒが順に存在し、左眼の前方に接眼レンズ１３Ｌとモニター３０Ｌが順に存在する。また、スペースＳには、装置本体１１の横方向中央部に前後方向に沿って隔壁部１５が形成されている。隔壁部１５は、左眼でモニター３０Ｒが、右眼でモニター３０Ｌがそれぞれ見えないように各モニターを隔離する。
【００２５】
装置本体１１は、撮像ユニット２０を挟んで左右両側に設けられ、使用者１００の左右を視認可能とする窓部１７を有することが好ましい。装置本体１１は、装着性およびモニター３０の視認性向上等の観点から、両眼の周囲を覆って装着されることが好ましいが、装置本体１１の全体を不透明な材料で構成すると、周囲が全く見えなくなり、医療行為を行う上で不便な場合がある。装置本体１１に窓部１７を設けることで、いちいち装置を外さなくても周囲の状況を確認することが可能となり、医療用拡大鏡装置１０の使い勝手が向上する。
【００２６】
窓部１７は、装置本体１１に形成された開口部であってもよいが、好ましくはアクリル樹脂、ポリカーボネート等の透光性が良好な樹脂で構成される。また、アクリル樹脂およびポリカーボネートは耐熱性にも優れるため、装置本体１１を滅菌処理する場合にも好適である。窓部１７は、各側面部１１ｂに形成されることが好ましく、各側面部１１ｂの一部または全部に透明な樹脂材料を適用することで設けられる。窓部１７は、各側面部１１ｂにおいて、例えば湾曲した前面部１１ａとの境界部、或いは前面部１１ａの左右両側から眼の真横に対応する位置にわたって設けられる。前面部１１ａの左右両側まで窓部１７を設けた場合、医療用拡大鏡装置１０の装着状態で使用者１００の左右前方を視認することができる。
【００２７】
窓部１７は、少なくとも眼の真横に対応する位置より下側に形成されることが好ましい。検診に使用する器具１０３（後述の図５参照）等は、使用者１００の眼の高さよりも下にあることが一般的であるから、少なくとも眼の高さより下側に窓部１７を形成することが好ましい。窓部１７は、例えば装置本体１１の各側面部１１ｂにおいてベルト６０等の固定手段の下端よりも下部に形成される。本実施形態では、左右の視認性をより良好なものとすべく、窓部１７が眼の高さより上側にも位置するように、上面部１１ｃの境界部から下面部１１ｄの境界部にわたって装置本体１１の上下方向にも大きく形成されている。
【００２８】
また、窓部１７は、透明度を変更可能な調光機能を有していてもよい。この場合、撮像ユニット２０により取得される拡大像を確認する際には窓部１７を不透明な状態とし、器具１０３を探す際など周囲を確認したいときには透明な状態とすることができる。後述するリモートコントローラ４０には、窓部１７の透明度を変更するための操作ボタンが設けられていてもよい。
【００２９】
装置本体１１の前面部１１ａの大部分および上面部１１ｃは、モニター３０の視認性の観点から、不透明な材料で構成されることが好ましい。下面部１１ｄには、例えば手元を見えるようにするため、窓部１７のような透明な部分、或いは開口部が設けられていてもよい。
【００３０】
医療用拡大鏡装置１０は、加熱滅菌処理が可能な構成を有していてもよい。加熱滅菌処理では、例えば医療用拡大鏡装置１０が高温のスチーム環境に曝される。このため、加熱滅菌処理に対応する医療用拡大鏡装置１０は、装置本体１１から撮像ユニット２０を分離可能な構造、即ち装置本体１１に対して撮像ユニット２０が着脱自在な構造を有することが好ましい。また、装置本体１１およびベルト６０は、アクリル樹脂、ポリカーボネート、ポリエステル、ポリアミド等の成形性および耐熱性が高い樹脂で構成される。なお、ベルト６０は皮製であってもよい。
【００３１】
撮像ユニット２０は、上述の通り、ズームレンズ２２を有し、ズームレンズ２２を介して取得した拡大像をデジタル変換する機能を有する。撮像ユニット２０は、例えばデジタルカメラと同様に、ＣＣＤ、ＣＭＯＳ等の撮像素子を内蔵する本体部２１を備える。ズームレンズ２２は本体部２１の前方に設置されており、ズームレンズ２２を通った光が本体部２１の撮像素子に入射し、デジタル変換されてモニター３０に表示される。本体部２１には、例えば画像処理エンジン、デジタル変換された拡大像のデータを記憶する記憶部等が設けられている。
【００３２】
撮像ユニット２０は、手動でピントを合わせるように構成されていてもよいが、好ましくはオートフォーカス機能を有する。この場合、本体部２１には、オートフォーカス用のセンサ、モーター、制御用マイコン等が内蔵される。なお、本体部２１には、静止画撮影用の機械式シャッターが設けられていてもよい。
【００３３】
ズームレンズ２２は、患部の拡大像を取得するためのレンズであって、光学ズーム機能を有する。光学式のズームレンズ２２を設けることで、患部の鮮明な拡大像を得ることができる。ズームレンズ２２の倍率は、用途に応じて適切な範囲に設定され、例えば産婦人科検診用途では、５倍〜４０倍、好ましくは５倍〜２０倍に設定される。産婦人科検診専用の拡大鏡装置では、１０倍〜１５倍のように狭い範囲に設定されてもよい。なお、撮像ユニット２０はデジタルズーム機能を有していてもよい。
【００３４】
ズームレンズ２２は、装置本体１１の前面部１１ａにおいて、使用者１００の左右の眼の間に対応する位置に設けられることが好ましい。本実施形態では、装置本体１１が左右対称の形状を有するから、ズームレンズ２２は前面部１１ａの横方向中央に設けられる。モニター３０Ｒ，３０Ｌに対応する像を得るために、２つのズームレンズ２２を設けることも可能であるが、装置の軽量性を考慮すると、ズームレンズ２２は１つであることが好ましい。
【００３５】
モニター３０は、右眼用のモニター３０Ｒと、左眼用のモニター３０Ｌとで構成され、モニター３０Ｒには右眼用の像が、モニター３０Ｌには左眼用の像が表示される、いわゆるデュアルモニターである。本実施形態では、本体部２１の後方を向いた面にモニター３０Ｒ，３０Ｌが設置され、各モニターは隔壁部１５によって隔離されている。モニター３０には、例えば液晶モニター、または有機ＥＬモニターが適用される。
【００３６】
モニター３０に表示される患部の拡大像は、例えばズームレンズ２２および撮像素子によって取得された拡大像を、撮像ユニット２０の画像処理エンジンでモニター３０Ｒ用およびモニター３０Ｌ用に処理して生成される。
【００３７】
医療用拡大鏡装置１０は、さらに、装置本体１１の前方に設けられたライト２３を備えることが好ましい。ライト２３には、例えばＬＥＤが適用される。患部を明るく照らす必要がある場合、別体のライトを用いてもよいが、装置本体１１にライト２３を搭載することで医療用拡大鏡装置１０の使い勝手が向上する。ライト２３は、装置本体１１の前面部１１ａにおいて、ズームレンズ２２の上方に設けられることが好ましい。
【００３８】
医療用拡大鏡装置１０は、さらに、撮像ユニット２０と無線接続されるリモートコントローラ４０（以下、「リモコン４０」とする）を備えることが好ましい。リモコン４０は、少なくともズームレンズ２２の倍率を操作するための倍率調整ボタン４４を有する。撮像ユニット２０およびモニター３０のオンオフ、ズームレンズ２２の倍率調整などを行うための操作部は、装置本体１１に設けられていてもよいが、リモコン４０を用いることで操作性が向上する。なお、医療用拡大鏡装置１０は、使用者１００の視線を検知して各種操作を実行する機能を有していてもよい。
【００３９】
リモコン４０は、握り易いように細長く形成されたリモコン本体４１を有する。リモコン本体４１の１つの面には、倍率調整ボタン４４を含む複数の操作ボタンが設けられている。操作部としては、撮像ユニット２０およびモニター３０をオンオフするための電源スイッチ４２、ライト２３をオンオフするためのライトスイッチ４３、静止画を取得するためのシャッターボタン４５、および動画を取得するための録画ボタン４６などが挙げられる。
【００４０】
医療用拡大鏡装置１０は、撮像ユニット２０によりデジタル変換された拡大像を記憶する記憶部を備えることが好ましい。本実施形態では、メモリカード用スロット５０に収容されるメモリカード５２によって記憶部が構成されている。メモリカード用スロット５０は、例えば撮像ユニット２０に設けられ、装置本体１１の下面部１１ｄ側からメモリカード５２を挿入可能に構成される。撮像ユニット２０により取得された患部の拡大像のデータは、メモリカード５２に保存される。なお、医療用拡大鏡装置１０は、ハードディスク（ＨＤＤ）等で構成される記憶部を備えていてもよい。
【００４１】
医療用拡大鏡装置１０は、撮像ユニット２０およびモニター３０に電力を供給するための電力線を有していてもよいが、電力線等のコードは医療行為の邪魔になるため、バッテリ５３で駆動することが好ましい。バッテリ用スロット５１は、例えば撮像ユニット２０に設けられ、装置本体１１の下面部１１ｄ側からバッテリ５３を挿入可能に構成される。また、撮像ユニット２０には、パソコン、プリンター、外部モニター等に接続するためのケーブルが挿入されるケーブルジャック５４が１つまたは複数設けられていてもよい。ケーブルジャック５４を設けた場合、画像データおよび動画データをケーブルを介してパソコン等に送信することができる。
【００４２】
ここで、図５を参照し、上記構成を備えた医療用拡大鏡装置１０を用いて産婦人科検診、特に産婦人科がん検診（子宮がん検診の精密検査）を行う方法を説明しながら、医療用拡大鏡装置１０の作用効果について詳説する。
【００４３】
産婦人科では、コルポスコープを用いて、病変（炎症、腫瘍）の有無、病変の広がりなどを確認するコルポスコピー・コルポ診と呼ばれる検査が行われてきた。この検査では、膣内に専用の器具を挿入し、子宮頸部や膣壁をコルポスコープで数倍〜数十倍に拡大して観察する。また、コルポスコープを覗きながら、酢酸水溶液に浸した綿球を子宮頸部等に軽く押し当て、病変の変化を観察（酢酸により病変が白濁するので、その変化を観察）する酢酸加工診も行われ、必要に応じて生検も行われる。さらに、出血がある場合は止血処置も行われる。
【００４４】
従来のコルポスコープは、上述のように、大型で使い勝手が悪いという課題がある。これに対し、上記構成を備えた医療用拡大鏡装置１０によれば、コルポスコープを用いた場合と同等以上の検診精度を確保しながら、より簡便でストレスのない検診が可能となる。
【００４５】
図５に例示するように、医療用拡大鏡装置１０は、使用者１００（以下、「医師」とする）の頭部１０１にベルト６０および補助ベルト６１を用いて固定される。医療用拡大鏡装置１０は、フェイスパッド１２が顔面１０２に当接し、装置本体１１が左右の眼前を覆って顔面１０２にフィットした状態で装着される。そして、医療用拡大鏡装置１０を装着した医師は、ズームレンズ２２を患者側に向け、適切な倍率に調整して子宮頚部や膣壁を観察する。
【００４６】
医療用拡大鏡装置１０を用いた産婦人科検診では、医師の頭部１０１に装置が固定されているため、コルポスコープのようにベース部を移動させる必要がなく、また医師と患者の間にアームのような障害物が存在しない。ズームレンズ２２のピントはオートフォーカスで調整されると共に、頭部１０１を動かすことでも調整できるため、コルポスコープのようにベース部を動かしてピント合わせする必要がない。コルポスコープを用いた場合、医師と患者の間に存在するアームは医療行為の邪魔になるだけでなく、これに接触することで再度ピント合わせが必要になるといった不便もある。
【００４７】
医療用拡大鏡装置１０を用いた産婦人科検診では、コルポスコープを用いた場合と同様に、器具１０３を膣内に挿入して膣を広げ、例えば子宮頚部や膣壁を１０倍〜１５倍の倍率で観察する。医療用拡大鏡装置１０では、患部の拡大像を表示するモニター３０Ｒ，３０Ｌが左右の眼前に配置されるため、当該拡大像を観察し易く、精度の良い検診が可能となる。モニター３０Ｒ，３０Ｌに表示される患部の拡大像は、光学式のズームレンズ２２で取得され、撮像素子でデジタル変換されるため、明るく鮮明である。また、ライト２３を使用することで、より良質な拡大像を簡便に得ることができる。
【００４８】
医療用拡大鏡装置１０は、頭部１０１にしっかり固定され顔面１０２にフィットしているので、両手を使った医療行為もスムーズに行うことができ、長時間使用しても疲れ難くなる。装置本体１１には、左右を視認可能とする窓部１７が設けられているため、例えば窓部１７を通して器具１０３の位置を確認でき、いちいち装置を外さなくても器具１０３を取り扱うことが可能である。窓部１７は、装置本体１１の左右両側、または左右両側とその近傍のみに設けられるので、モニター３０の視認性を損なうことなく、作業性を高めることができる。
【００４９】
なお、医療用拡大鏡装置１０では、ズームレンズ２２によって前方を見ることはできるが、ズームレンズ２２は拡大像を得るためのものであるから、周囲の状況の確認には不向きである。ズームレンズ２２の他にレンズを設けることも考えられるが、その場合は、装置重量が重くなり、またモニター３０に表示する画像の切り替えも必要となる。
【００５０】
医療用拡大鏡装置１０は、リモコン４０を用いて容易に操作することができる。例えば、倍率調整ボタン４４を操作することで、ズームレンズ２２の倍率を調整できる。また、シャッターボタン４５を操作することで、患部の静止画データを取得でき、録画ボタン４６を操作することで、動画データを取得することもできる。静止画データおよび動画データは、メモリカード５２に保存される。
【００５１】
以上のように、医療用拡大鏡装置１０は、コルポスコープに比べて、コンパクトで使い勝手が良い。そして、医療用拡大鏡装置１０によれば、コルポスコープと同等以上の精度で検診が可能である。医療用拡大鏡装置１０は、産婦人科がん検診に使用でき、子宮がん検診の精密検査に好適である。医療用拡大鏡装置１０は、例えば子宮がん検診の精密検査用拡大鏡装置として、上述の通り従来にはない優れた効果を奏する。
【００５２】
図６に例示するように、医療用拡大鏡装置１０は、手術に使用することもできる。手術で使用される従来の拡大鏡装置（顕微鏡）は、コルポスコープと同様に大型で使い勝手が良いものとは言えない。また、顕微鏡を覗きながら長時間手術をすることは極めて疲労度の高い作業である。医療用拡大鏡装置１０を用いて手術を行うことで、医師の疲労を軽減し、手術の精度を高めることも可能となる。
【００５３】
なお、上述の実施形態は、本発明の目的を損なわない範囲で適宜設計変更できる。例えば、図７に例示する医療用拡大鏡装置１０Ｘのように、固定手段として、頭部の全体を広く覆うヘルメット型の支持部６３を備えていてもよい。支持部６３は、頭部の前方、後方、側方、および頭頂部を含む頭部全体を覆い、頭部の形状に沿って湾曲したヘルメットのような形状を有する。医療用拡大鏡装置１０Ｘにおいて、装置本体１１は、支持部６３の前端部に取り付けられている。支持部６３によって頭部の全体で装置本体１１を支持することができるので、装置本体１１の重量が大きくなっても良好な装着性が得られる。
【符号の説明】
【００５４】
１０  医療用拡大鏡装置、１１  装置本体、１１ａ  前面部、１１ｂ  側面部、１１ｃ  上面部、１１ｄ  下面部、１２  フェイスパッド、１３，１３Ｒ，１３Ｌ  接眼レンズ、１５  隔壁部、１６  凹部、１７  窓部、１８  接眼レンズ間距離調整部、１９Ｒ，１９Ｌ  接眼レンズ用ピント調整部、２０  撮像ユニット、２１  本体部、２２  ズームレンズ、２３  ライト、３０，３０Ｒ，３０Ｌ  モニター、４０  リモートコントローラ、４１  リモコン本体、４２  電源スイッチ、４３  ライトスイッチ、４４  倍率調整ボタン、４５  シャッターボタン、４６  録画ボタン、５０  メモリカードスロット、５１  バッテリ用スロット、５２  メモリカード、５３  バッテリ、５４  ケーブルジャック、６０  ベルト、６１  補助ベルト、６３  支持部、１００  使用者、１０１  頭部、１０２  顔面、１０３  器具
【図１】
2018191845.tif 000003
【図２】
2018191845.tif 000004
【図３】
2018191845.tif 000005
【図４】
2018191845.tif 000006
【図５】
2018191845.tif 000007
【図６】
2018191845.tif 000008
【図７】
2018191845.tif 000009